(57)【特許請求の範囲】
【請求項１】
縦編編成を有するパイル生地であり、転写印刷面である第１面において、第１パイル糸Ｌ１がその列のパイル止め糸によるパイル止め点と隣の列のパイル止め糸によるパイル止め点を有し、転写印刷面でない第２面において第２パイル糸Ｌ４がその列のパイル止め糸によるパイル止め点を有する転写印刷用縦編みパイル生地。
【請求項２】
第１パイル糸Ｌ１がその列から２列離れた列のパイル止め糸によるパイル止め点を有する請求項１に記載の転写印刷用縦編みパイル生地。
【請求項３】
第１パイル糸Ｌ１がポリエステルマイクロファイバーを有する請求項１または請求項２に記載の転写印刷用縦編みパイル生地。
【請求項４】
請求項１から請求項３のいずれかに記載の転写印刷用縦編みパイル生地の第１面に転写印刷が施されている転写印刷タオル。
【発明の詳細な説明】
【技術分野】
【０００１】
この発明は、精密な転写印刷に適した縦編みパイル生地および転写印刷タオルに関する。
【背景技術】
【０００２】
転写印刷は解像度の高い絵柄を表わすことができ、布地においても写真を精密に印刷することができる。しかし、パイル生地においてはパイル構造による凹凸のため、精密な図柄が表現できない。
【０００３】
特許文献１には、ポリエステルのつなぎ糸と、吸発性ポリエステルの表側パイル糸と、吸発性ポリエステルの裏側パイル糸とを用い、丸編によって得られる組織を有する両面パイルのタオルであって、表側パイル糸によって構成される表側パイルのパイル長が、裏側パイル糸によって構成される裏側パイルのパイル長よりも短くなるように構成されているタオルが記載されている。そして、表側パイルのパイル長が短くなっているので、プレスをする際、表側パイルが傾れないために、転写紙に形成された図柄の輪郭が歪んだりする等の不都合が生じることはないと記載されている（同文献００２４段落）。
【先行技術文献】
【特許文献】
【０００４】
【特許文献１】特開２００４−２６１３６５号公報
【発明の概要】
【発明が解決しようとする課題】
【０００５】
特許文献１によれば、同文献のタオルおよびタオル生地では、表面の全面が肌ざわりの良いパイルであるにも拘わらず、昇華プリントを施すことができる、とされている。表側のパイル長を裏側のパイル長より短くしているので、その分、裏側よりも精密な印刷ができることは期待できる。しかし、短くても表パイル糸が立っている以上、印刷制度には限界がある。イラスト程度の図柄であれば十分に表現できるかもしれないが、写真のような図柄を精密に表わすことはできない。
【０００６】
これまでに、写真のような精密な絵柄を忠実に表わした編みパイル生地は見当たらない。この発明は、伸縮性・吸水性にとみ、しかも転写印刷により精密な図柄を表現できる転写印刷用縦編みパイル生地および編みタオルを提供することを目的とする。
【課題を解決するための手段】
【０００７】
上述の課題を解決するため、この発明の転写印刷用縦編みパイル生地は縦編編成を有し、転写印刷面である第１面において、第１パイル糸Ｌ１がその列のパイル止め糸によるパイル止め点と隣の列のパイル止め糸によるパイル止め点を有し、転写印刷面でない第２面において第２パイル糸Ｌ４がその列のパイル止め糸によるパイル止め点を有する。第１パイル糸Ｌ１がその列から２列離れた列のパイル止め糸によるパイル止め点を有することが好ましい。また、第１パイル糸Ｌ１がポリエステルファイバーを有することが好ましい。
【０００８】
この発明の転写印刷タオルは、上述の転写印刷用縦編みパイル生地の第１面に転写印刷が施されているものである。
【発明の効果】
【０００９】
この発明の転写印刷用縦編みパイル生地および編みタオルは、サテン状にフラットな転写印刷面を有し、転写印刷により精密な図柄を表現することができる
【図面の簡単な説明】
【００１０】
【図１】転写印刷用縦編みパイル生地の構造を示す平面図である。
【図２】同背面である。
【発明を実施するための形態】
【００１１】
この発明を実施するための形態について図面に基づいて説明する。図１は転写印
刷用縦編みパイル生地の構造を示す平面図、図２は同背面である。
【００１２】
刷用縦編みパイル生地ｘは、縦編編成を有するパイル生地であり、機械編みで製造することができる。このような縦編み機械はすでに普及している。図１は転写印刷面である第１面を示している。
【００１３】
縦編編成の各列は、４本の糸を一組にしている。第１面に現れるパイル糸である上パイル糸Ｌ１、パイル止め糸Ｌ２、下糸Ｌ３、そして、第１面の反対側の面である第２面に現れるパイル糸である下パイル糸Ｌ４が組となって各列で用いられる。ここで、ある列ｎにおける各糸に添え字ｎを付けて、それぞれ上パイル糸Ｌ１n、パイル止め糸Ｌ２n、下糸Ｌ３n、下パイル糸Ｌ４nと表わす。
【００１４】
第１面では、列ｎにおける上パイル糸Ｌ１nがその列のパイル止め糸Ｌ２nによって下糸Ｌ３nに止められる止め点Ｐ１が形成される。さらに、この発明では、上パイル糸Ｌ１nがその隣の列ｎ＋１のパイル止め糸Ｌ２n+1によって下糸Ｌ３n+1に止められる止め点Ｐ２が形成される。したがって、上パイルは寝た状態になる。図１の例では、上パイル糸Ｌ１nは列ｎ＋１の隣、すなわち列ｎから２列離れた列ｎ＋２のパイル止め糸Ｌ２n+2によって下糸Ｌ３n+2に止められる止め点Ｐ３も形成されている。このようにして、第１面では上パイルは表に出ず、第１面はサテン状のフラットな表面になる。
【００１５】
第２面は通常の縦編みパイルの状態である。図２は転写印刷面の反対側の面である第２面を示している。第２面でも、列ｎにおける下パイル糸Ｌ４nの基部がその列のパイル止め糸Ｌ２nによって下糸Ｌ３nに止められる止め点Ｐ０が形成される。しかし、下パイル糸Ｌ４nはそれ以外の列のパイル止め糸Ｌ２n+1によっては止められていない。したがって、第２面においては通常のパイル生地と同様にパイルが突き出た状態である。
【００１６】
以上、この縦編みパイル生地では、第１面がフラットな転写印刷面であり、昇華転写（熱転写）による印刷を行うのに適している。写真などの図柄でも、精密に再現することができる。一方、第２面はパイル面となっており、柔らかな肌触りとなる。
【００１７】
次に、この発明の実施例について説明する。編成は図１および図２に示すとおりである。使用する糸の例は、次の通りである。
上パイル糸Ｌ１：フィラメントポリエステル１１０デニール／７２を２本引き揃え
パイル止め糸Ｌ２：フィラメントポリエステル４０デニール／３６
下糸Ｌ３：フィラメントポリエステル７５デニール／３６
下パイル糸Ｌ４：フィラメントポリエステル１１０デニール／１４４とポリエステルスパン４０単糸
上パイル糸にフィラメントポリエステルを用いることにより光沢が出るとともに、転写印刷によける写真の再現性が向上する。また、下パイル糸にはフィラメントポリエステルに加えてポリエステルスパン糸を使用することにより、マイクロファイバーが手の表面に引っ掛かる現象（スナッキング）を軽減し、触感をよくすることができる。
【００１８】
これらの糸を使用し、２８ゲージ（列）／インチの密度で縦編みをし、転写印刷用縦編みパイル生地を得た。この転写印刷用縦編みパイル生地の転写印刷面（第１面）に昇華転写（熱転写）により写真を印刷した。これを裁断および縫製し、転写印刷タオルを作成した。
【００１９】
出来上がったタオルには、写真が精密に再現されていた。たとえば、犬の顔の写真を印刷した場合、犬のひげが鮮明に現れており、また、毛なみもきれいに再現されている。これまでの編みパイル生地やそれを用いた印刷タオルでは得られなかった精密な印刷が実現できた。
【符号の説明】
【００２０】
Ｌ１．上パイル糸
Ｌ２．パイル止め糸
Ｌ３．下糸
Ｌ４．下パイル糸
Ｐ１，Ｐ２，Ｐ３：上パイル糸の止め点
【図１】
0005993506.tif 000002
【図２】
0005993506.tif 000003